(57)【要約】【課題】  より興趣に富んだ演出を行うことができる演出装置を提供する。【解決手段】  本発明に係るトッパー演出装置２８は、ＬＥＤ２８ｂに対して演出信号を出力する演出信号出力手段９１，９２，９３は、所定の演出条件に基づいて、第１の演出情報に基づく演出信号及び第２の演出信号に基づく演出信号のいずれか一方を出力する。すなわち、ＬＥＤ２８ｂは、外部から受け付ける第１の演出情報に基づく演出信号に応じた演出だけでなく、ＲＯＭ９４に格納された第２の演出情報に基づく演出信号に応じた演出も行うため、本発明に係るトッパー演出装置２８においては演出の多様化が図られており、より興趣に富んだ演出を行うことができる。【選択図】  図５
2007325877.tif 000002
【特許請求の範囲】
【請求項１】
第１の演出情報を外部から受け付ける演出情報受付手段と、
第２の演出情報が格納された演出情報格納手段と、
所定の演出条件に基づいて、前記演出情報受付手段によって受け付けた前記第１の演出情報に基づく演出信号、及び、前記演出情報格納手段に格納された前記第２の演出情報に基づく演出信号のいずれか一方を出力する演出信号出力手段と、
前記演出信号出力手段から出力される前記演出信号に応じた演出を行う演出手段と、
を備えたことを特徴とする演出装置。
【請求項２】
前記第１の演出情報には、前記演出手段の演出内容に関する演出内容情報が含まれており、
前記演出信号出力手段は、前記第１の演出情報に基づく前記演出信号として、前記第１の演出情報に含まれる前記演出内容情報に応じた演出信号を出力することを特徴とする請求項１に記載の演出装置。
【請求項３】
前記演出情報格納手段には、前記第２の演出情報が複数格納されており、
前記演出信号出力手段は、前記第２の演出情報に基づく前記演出信号を出力する際、前記複数の第２の演出情報のうちから１つを選出して、選出した前記第２の演出情報に基づく前記演出信号を出力することを特徴とする請求項１又は２に記載の演出装置。
【請求項４】
前記演出信号出力手段は、前記第２の演出情報に基づく前記演出信号を出力する際、所定の演出変更条件が成立する毎に、前記複数の第２の演出情報のうちから１つを選出して、選出した前記第２の演出情報に基づく前記演出信号を出力することを特徴とする請求項３に記載の演出装置。
【発明の詳細な説明】
【技術分野】
【０００１】
本発明は、演出装置に関する。
【背景技術】
【０００２】
従来、例えば遊技機等に利用される演出装置として、照明装置、音響装置、画像表示装置等が知られている。そして、一般的に、このような演出装置に多様な演出を行わせるために、演出装置の演出は所定の演出プログラムによって制御されている。例えば、下記特許文献１には、スロット機に組み込まれた演出装置における照明や音響の制御に関する技術が開示されている。
【特許文献１】米国特許６９２３７１８号明細書
【発明の開示】
【発明が解決しようとする課題】
【０００３】
発明者らは、上述の演出装置に関する研究を重ね、その結果、従来の演出装置に比べてより興趣に富んだ演出を行うことができる演出装置を新たに見出した。
【０００４】
つまり、本発明は、より興趣に富んだ演出を行うことができる演出装置を提供することを目的とする。
【課題を解決するための手段】
【０００５】
本発明による遊技機は、第１の演出情報を外部から受け付ける演出情報受付手段と、第２の演出情報が格納された演出情報格納手段と、所定の演出条件に基づいて、演出情報受付手段によって受け付けた第１の演出情報に基づく演出信号、及び、演出情報格納手段に格納された第２の演出情報に基づく演出信号のいずれか一方を出力する演出信号出力手段と、演出信号出力手段から出力される演出信号に応じた演出を行う演出手段と、を備えたことを特徴とする。
【０００６】
このような演出装置においては、演出手段に対して演出信号を出力する演出信号出力手段は、所定の演出条件に基づいて、第１の演出情報に基づく演出信号及び第２の演出信号に基づく演出信号のいずれか一方を出力する。すなわち、演出手段は、外部から受け付ける第１の演出情報に基づく演出信号に応じた演出だけでなく、演出情報格納手段に格納された第２の演出情報に基づく演出信号に応じた演出も行うため、本発明に係る演出装置においては演出の多様化が図られており、より興趣に富んだ演出を行うことができる。
【０００７】
また、第１の演出情報には、演出手段の演出内容に関する演出内容情報が含まれており、演出信号出力手段は、第１の演出情報に基づく演出信号として、第１の演出情報に含まれる演出内容情報に応じた演出信号を出力することが好ましい。この場合、演出装置に、演出手段の演出内容に関する演出内容情報を全て格納しておく必要がないため、演出内容情報のために、新たに格納手段を設けたり、第２の演出情報が格納された演出情報格納手段の記録領域の一部を割り当てたりする必要がなくなる。
【０００８】
また、演出情報格納手段には、第２の演出情報が複数格納されており、演出信号出力手段は、第２の演出情報に基づく演出信号を出力する際、複数の第２の演出情報のうちから１つを選出して、選出した第２の演出情報に基づく演出信号を出力することが好ましい。この場合、演出装置による演出をより多様化することができる。
【０００９】
また、演出信号出力手段は、第２の演出情報に基づく演出信号を出力する際、所定の演出変更条件が成立する毎に、複数の第２の演出情報のうちから１つを選出して、選出した第２の演出情報に基づく演出信号を出力することが好ましい。この場合、演出装置は、演出変更条件に応じた様々な演出態様を実現することができる。
【発明の効果】
【００１０】
本発明の演出装置によれば、より興趣に富んだ演出を行うことができる。
【発明を実施するための最良の形態】
【００１１】
以下、図面を参照しつつ本発明の好適な実施形態について詳細に説明する。
【００１２】
図１に示すように、遊技機１は、カジノなどの遊技場に設置されるアップライト型のスロットマシーンであり、所定の遊技態様を実行するための電気的又は機械的部品を収容するための筐体３を有している。遊技に関する情報を表示するための表示部４として例えば、アッパー表示部４Ａと中段側の可変表示部４Ｂとアンダー表示部４Ｃがあり、縦長の筐体３の前面には、各表示部４Ａ〜４Ｃが取り付けられている。アッパー表示部４Ａは、可変表示部４Ｂの上方に配置された液晶パネル５Ａを有しており、液晶パネル５Ａにより、例えば、演出画像、遊技内容の紹介、遊技上のルール説明などを表示する。アンダー表示部４Ｃは、可変表示部４Ｂの下方に配置され、画像が印画されたプラスチックパネル５Ｃを有し、このプラスチックパネル５Ｃをバックライトにより照らし出している。
【００１３】
遊技の実行状況を表示するための可変表示部４Ｂは、筐体３の前面扉に固定された透明な液晶パネル５Ｂを有しており、この液晶パネル５Ｂを介して、遊技者は、筐体３の内部に配置された３連リールＲ１，Ｒ２，Ｒ３の図柄を外から見通すことができる。可変表示部４Ｂには、３連リールＲ１，Ｒ２，Ｒ３に対応する領域に、水平及び斜めに横切る複数本の入賞ラインがプリントされている。さらに、可変表示部４Ｂの上部には、ペイアウト数表示部８やクレジット数表示部９が表示される。そして、中段側の可変表示部４Ｂは、上部が後方に倒れるように傾けられ、遊技者が楽な姿勢で遊技できるようになっている。
【００１４】
中段側の可変表示部４Ｂとアンダー表示部４Ｃとの間において、筐体３の前面には、前方に迫り出した操作テーブル１０が設けられ、この操作テーブル１０上には、遊技の実行を指示する操作部として、ＢＥＴボタン、コレクトボタン、スタートボタン、ストップボタンなどの各種操作ボタン１１が配列されている。操作テーブル１０には、コイン投入口１２や紙幣投入口１３が設けられている。そして、操作テーブル１０と中段側の可変表示部４Ｂとの間には、チケットプリンタ１４やカードリーダ１５が設けられている。さらに、筐体３の最下部にはコイントレイ１６が設けられている。
【００１５】
また、遊技機１の筐体３には、アッパー表示部４Ａ、中段側の可変表示部４Ｂ、アンダー表示部４Ｃ及び操作テーブル１０を含んだ遊技領域を囲むように、発光部２０が配置されている。発光部２０は、筐体３の左右端部で且つアッパー表示部４Ａ及び可変表示部４Ｂに渡って側方に弓形に張り出した斜光ベース部２１に設けられたサイドランプ２２と、筐体３の左右端部で且つ操作テーブル近傍位置で側方に張り出した円弧状のスピーカ２３の縁に設けられたスピーカランプ２４と、アンダー表示部４Ｃの下縁に設けられたアンダーランプ２５と、アッパー表示部４Ａの上方に設けられ、両側に配置されたパワーランプ２６ａと中央で水平方向に配列された帯状ランプ２６ｂとを有するトップランプ２６とからなる。そして、この発光部２０は、ランプ制御によって、魅力的なイルミネーションを作り出している。
【００１６】
前述した遊技機１は、表示部４や操作テーブル１０上の操作ボタン１１の光を、遊技領域を囲むように配置された発光部２０で補うことによって、遊技領域内の表示部４や操作テーブル１０上の操作ボタン１１の光と遊技領域を囲んだ発光部２０の光との協働により、観客に対する光による遊技機１のアピール度を格段に向上させることができる。さらに、発光部２０の点灯状況や点滅状況を適宜変更することで、他の機種に対し光による差別化を簡単に図ることができる。これによって、魅力ある遊技機を創出することができる。
【００１７】
遊技機１は、さらに、筐体３上に搭載されたトッパー演出装置２８（演出装置）を備えている。このトッパー演出装置２８は、矩形ボード形状を有しており、アッパー表示部４Ａの液晶パネル５Ａと略平行になるように配置されている。
【００１８】
トッパー演出装置２８の前面には、画像が印画されたプラスチックパネル２８ａが嵌め込まれており、このプラスチックパネル２８ａが内蔵のバックライト９８（図１では図示せず）によって照らし出される構成となっている。また、トッパー演出装置２８の前面には、プラスチックパネル２８ａの上下の辺に沿って複数のＬＥＤ２８ｂが等間隔に配置されている。
【００１９】
次に、上述した遊技機１の内部構成について、図２〜図５を参照しつつ説明する。
【００２０】
図２は、遊技機１全体の内部構成を示したブロック図である。図２に示すように、遊技機１は、マイクロコンピュータ３１を含む主制御基板７１を中心に複数の構成要素を有している。その主制御基板７１は、マイクロコンピュータ３１と、乱数発生器３５、サンプリング回路３６、クロックパルス発生回路３７および分周器３８を有し、照明演出駆動回路６１、ホッパー駆動回路６３、払出完了信号回路６５および表示部駆動回路６７を有している。
【００２１】
マイクロコンピュータ３１は、メインＣＰＵ３２と、ＲＡＭ３３と、ＲＯＭ３４とを有している。メインＣＰＵ３２は、ＲＯＭ３４に記憶されているプログラムに従って作動し、Ｉ／Ｏポート３９を介して他の構成要素との信号の入出力を行って、遊技機１全体の動作制御を行う。ＲＡＭ３３はメインＣＰＵ３２が作動する際に用いるデータやプログラムが記憶され、例えば、後述するサンプリング回路３６によりサンプリングされる乱数値がゲーム開始後、一時的に保持されるとともに、リールＲ１、Ｒ２、Ｒ３のコードナンバ、図柄ナンバが記憶されている。ＲＯＭ３４にはメインＣＰＵ３２が実行するプログラムと、恒久的なデータが記憶されている。
【００２２】
乱数発生器３５は、メインＣＰＵ３２の指示に従って作動し、一定範囲の乱数を発生させる。サンプリング回路３６は、メインＣＰＵ３２の指示に従い、乱数発生器３５が発生させた乱数の中から任意の乱数を抽出すると共に、その抽出した乱数をメインＣＰＵ３２に入力する。クロックパルス発生回路３７は、メインＣＰＵ３２を作動させるための基準クロックを発生させ、分周器３８はその基準クロックを一定周期で分周した信号をメインＣＰＵ３２に入力する。
【００２３】
また、主制御基板７１には、リール駆動ユニット５０が接続されている。このリール駆動ユニット５０は、リールＲ１，Ｒ２，Ｒ３のそれぞれの位置を検出するリール位置検出回路５１と、各リールＲ１，Ｒ２，Ｒ３を回転させるためのモータＭ１，Ｍ２，Ｍ３に駆動信号を入力するモータ駆動回路５２を有している。モータ駆動回路５２から駆動信号が入力されることによって、モータＭ１，Ｍ２，Ｍ３が作動し、そのそれぞれがリールＲ１，Ｒ２，Ｒ３を回転させる。
【００２４】
さらに、主制御基板７１には、上記リールＲ１，Ｒ２，Ｒ３の停止指示を入力するためのストップボタン、スタートボタン、コレクトボタン、ＢＥＴボタン等を含む操作ボタン１１が接続されており、それらのボタン押下に応じた信号が、Ｉ／Ｏポート３９を介してメインＣＰＵ３２に入力されるようになっている。
【００２５】
照明演出駆動回路６１は、上述した発光部２０及びトッパー演出装置２８に照明演出を行わせるための演出信号を出力する。発光部２０は、図３に示すように、上述したスピーカランプ２４、アンダーランプ２５、パワーランプ２６ａ及び帯状ランプ２６ｂを含む複数のランプやＬＥＤによって構成されている。図３に示すメインサイドランプやサブサイドランプは、斜光ベース部２１に設けられた上述のサイドランプ２２を構成するものである。また、図３に示すフルカラーＬＥＤは液晶パネル５Bの側面に取り付けられ液晶パネル５Bの左右両側を装飾するものであり、下部フルカラーＬＥＤはコイントレイ１６を照らし出すものである。そして、このような構成の発光部２０を介して、トッパー演出装置２８が、照明演出駆動回路６１にシリアル接続によって接続されている。
【００２６】
ホッパー駆動回路６３はメインＣＰＵ３２の制御に従ってホッパー６４を駆動させ、ホッパー６４はコインの払出を行うための動作を行い、コイントレイ１６からコインを払出させる。払出完了信号回路６５は、接続されているコイン検出部６６からコインの枚数値データを入力し、その枚数値が設定された枚数の値に達したときにコインの払出完了を通知する信号をメインＣＰＵ３２に入力する。コイン検出部６６は、ホッパー６４により払出されたコインの枚数を計測し、その計測した枚数値のデータを払出完了信号回路６５に入力する。表示部駆動回路６７は、ペイアウト数表示部８、クレジット数表示部９等の各種表示部の表示動作を制御する。
【００２７】
さらに、主制御基板７１には副制御基板７２が接続されている。副制御基板７２は、図４に示すように、主制御基板７１からコマンドを入力して、アッパー表示部４Ａの液晶パネル５Ａ及び可変表示部４Ｂの液晶パネル５Ｂの表示制御、スピーカ２３による音声の出力制御を行う。この副制御基板７２は主制御基板７１を構成する回路基板とは別の回路基板上に構成され、マイクロコンピュータ（以下「サブマイクロコンピュータ」という）７３を主たる構成要素とし、スピーカ２３から出力される音声を制御する音源ＩＣ７８、増幅器としてのパワーアンプ７９および液晶パネル５Ａ，５Ｂの表示制御手段として作動する画像制御回路８１を有している。
【００２８】
サブマイクロコンピュータ７３は、主制御基板７１から送信された制御命令に従って制御動作を行うサブＣＰＵ７４と、記憶手段としてのプログラムＲＯＭ７５と、ワークＲＡＭ７６と、Ｉ／Ｏポート７７，８０を有している。副制御基板７２はクロックパルス発生回路、分周器、乱数発生器及びサンプリング回路を備えていないが、サブＣＰＵ７４の動作プログラム上で乱数サンプリングを実行するように構成されている。プログラムＲＯＭ７５は、サブＣＰＵ７４で実行する制御プログラムを記憶している。ワークＲＡＭ７６は、上記制御プログラムをサブＣＰＵ７４で実行するときの一時記憶手段として構成されている。
【００２９】
画像制御回路８１は、画像制御ＣＰＵ８２、画像制御ワークＲＡＭ８３、画像制御プログラムＲＯＭ８４、画像ＲＯＭ８６、ビデオＲＡＭ８７及び画像制御ＩＣ８８を有している。画像制御ＣＰＵ８２は、サブマイクロコンピュータ７３で設定されたパラメータに基づき、画像制御プログラムＲＯＭ８４に記憶されている画像制御プログラムに従い、液晶パネル５Ａ，５Ｂで表示される画像を決定する。
【００３０】
画像制御プログラムＲＯＭ８４は、液晶パネル５Ａ，５Ｂにおける表示に関する画像制御プログラムや各種選択テーブルが記憶されている。画像制御ワークＲＡＭ８３は、画像制御プログラムを画像制御ＣＰＵ８２で実行するときの一時記憶手段として構成されている。画像制御ＩＣ８８は、画像制御ＣＰＵ８２で決定された内容に応じた画像を形成し、液晶パネル５Ａ，５Ｂに出力する。
【００３１】
画像ＲＯＭ８６は、画像を形成するためのドットデータを格納している。ビデオＲＡＭ８７は、画像制御ＩＣ８８で画像を形成するときの一時記憶手段として作動する。
【００３２】
図５は、遊技機１のトッパー演出装置２８の内部構成を示したブロック図である。図５に示すように、トッパー演出装置２８は、装置外部にある照明演出駆動回路６１からの情報を受け付けるＩＮポート９０と、各種演算処理を行うＣＰＵ９１と、演出信号の選択出力を行うセレクタ９２と、演出信号をＬＥＤ２８ｂに送出するＯＵＴポート９３とを有している。
【００３３】
トッパー演出装置２８のＩＮポート９０は、上述したように、主制御基板７１の照明演出駆動回路６１と、発光部２０を介してシリアル接続されている。このＩＮポート９０は、本発明における演出情報受付手段であり、トッパー演出装置２８の照明演出に関する演出情報（以下、第１の演出情報と称す。）を照明演出駆動回路６１から受け付ける。この第１の演出情報には、各ＬＥＤ２８ｂの点灯パターン等の演出内容を指示する演出内容情報が含まれている。そのため、第１の演出情報がＯＵＴポート９３から演出信号として出力された場合、本発明における演出手段であるＬＥＤ２８ｂは、その第１の演出情報に含まれる演出内容情報に応じた照明演出を行う。なお、ＩＮポート９０で受け付けた第１の演出情報は、ＣＰＵ９１及びセレクタ９２に対してパラレルに出力される。
【００３４】
ＣＰＵ９１には、本発明における演出情報格納手段であるＲＯＭ９４とＲＡＭ９５とが接続されており、ＲＯＭ９４には、トッパー演出装置２８の照明演出に関する演出情報（以下、第２の演出情報と称す。）が格納されている。この第２の演出情報にも、第１の演出情報と同様に、各ＬＥＤ２８ｂの点灯パターン等の演出内容を指示する演出内容情報が含まれているが、その演出内容情報は、第１の演出情報に含まれる演出内容情報とは異なるものとなっている。
【００３５】
ＣＰＵ９１は、所定の演出条件が成立した際、ＲＯＭ９４に格納されている第２の演出情報に含まれる演出内容情報に応じた演出信号をセレクタ９２に対して出力すると共に、この演出信号を第１の演出情報に代えて出力するように指示する切替コマンドを、セレクタ９２に送る。ここで、本実施形態における演出条件は、ＩＮポート９０からＣＰＵ９１への第１の演出情報の入力がないこととなっている。すなわち、ＩＮポート９０からＣＰＵ９１に対して第１の演出情報の入力がないときに、第２の演出情報に対応する演出信号をセレクタ９２に出力すると共に、切替コマンドをセレクタ９２に送る。なお、演出条件は、上述した条件に限らず、規定時間の経過や規定時刻の到来、照明演出駆動回路６１からの特定の信号の受信等であってもよい。
【００３６】
セレクタ９２は、ＣＰＵ９１から送られてくる切替コマンドに基づいて、ＩＮポート９０から送られてきた第１の演出情報に応じた演出信号、又は、ＣＵＰ９１から送られてきた第２の演出情報に応じた演出信号のいずれか一方を、ＯＵＴポート９３を介してＬＥＤ２８ｂに出力する。つまり、上述したＣＰＵ９１、セレクタ９２及びＯＵＴポート９３によって、本発明における演出信号出力手段が構成されており、この演出信号出力手段が、所定の演出条件に基づいて、ＩＮポート９０によって受け付けた第１の演出情報に基づく演出信号、及び、ＲＯＭ９４に格納された第２の演出情報に基づく演出信号のいずれか一方をＬＥＤ２８ｂに出力する。
【００３７】
さらに、ＣＰＵ９１には、輝度調整スイッチ９６と、点灯パターンスイッチ９７と、バックライト９８とが接続されている。輝度調整スイッチ９６は、各ＬＥＤ２８ｂのＯＮ／ＯＦＦの時間間隔を制御して輝度を調整するためのディップスイッチであり、ＣＰＵ９１に対し、多段階の輝度調整（例えば、４段階調整）をＣＰＵ９１に行わせるための信号を送る。点灯パターンスイッチ９７は、後述する演出変更条件として、ＬＥＤ２８ｂの点灯パターンを設定するために用いられるスイッチであり、ＣＰＵ９１に、各種点灯パターンの設定をＣＰＵ９１に行わせるための信号を入力する。なお、ＣＰＵ９１が、複数のＬＥＤ２８ｂのうち所定箇所のＬＥＤ２８ｂのみを点灯／点滅させることによって、どの点灯パターンに設定されているかの確認が行われる。バックライト９８は、ＣＰＵ９１の出力信号に応じて、上述したトッパー演出装置２８のプラスチックパネル２８ａを照らし出す照明ユニットであり、例えば冷陰極管などが採用される。
【００３８】
次に、図６を参照しつつ、トッパー演出装置２８における演出処理の手順について説明する。
【００３９】
ＣＰＵ９１は、ＩＮポート９０が第１の演出情報を受け付けているか否かを、ＩＮポート９０から送られてくる第１の演出情報の受信によって、常時若しくは断続的に監視し、演出条件の判定を行う（ステップ１）。そして、ＩＮポート９０からの第１の演出情報の受信を検知した場合には、ＣＰＵ９１は、第１の演出情報に応じた演出信号を出力させる切替コマンドをセレクタ９２に送り、その演出信号が、セレクタ９２からＯＵＴポート９３を介してＬＥＤ２８ｂに出力される（ステップ２）。
【００４０】
一方、ＣＰＵ９１が、演出条件の判定を行って（ステップ１）、ＩＮポート９０からの第１の演出情報の受信を検知しなかった場合には、ＣＰＵ９１は、ＲＯＭ９４から第２の演出情報を抽出する（ステップ３）。そして、この第２の演出情報に応じた演出信号と共に、第２の演出情報の演出信号を出力させる切替コマンドをセレクタ９２に送る。続いて、ＣＰＵ９１からセレクタ９２に送られてきた演出信号が、セレクタ９２から、ＯＵＴポート９３を介してＬＥＤ２８ｂに出力される（ステップ４）。
【００４１】
そして、ＬＥＤ２８ｂは、ＯＵＴポート９３から送られてきた演出信号に応じた演出を行う（ステップ５）。トッパー演出装置２８では、演出処理として、以上のステップ１〜５が繰り返される。従って、照明演出駆動回路６１からトッパー演出装置２８に第１の演出情報が入力されているときには、矢印Ａ１に示すように、ＬＥＤ２８ｂは、その第１の演出情報の演出信号に応じた照明演出をおこなうこととなる。一方、照明演出駆動回路６１からトッパー演出装置２８に第１の演出情報が入力されていないときには、矢印Ａ２に示すように、ＬＥＤ２８ｂは、トッパー演出装置２８のＲＯＭ９４に格納されている第２の演出情報の演出信号に応じた照明演出をおこなうこととなる。
【００４２】
すなわち、トッパー演出装置２８では、ＬＥＤ２８ｂは、外部から受け付ける第１の演出情報の演出信号に応じた照明演出だけでなく、ＲＯＭ９４に格納された第２の演出情報の演出信号に応じた演出も行うため、演出の多様化が図られており、より興趣に富んだ演出を行うことができるようになっている。その上、ラインの断線等の理由で、照明演出駆動回路６１からトッパー演出装置２８への第１の演出情報の入力が途絶えた場合でも、第２の演出情報による演出が行われるため、トッパー演出装置２８による演出を継続して行うことができるようになっている。
【００４３】
また、上述した実施形態では、第１の演出情報にＬＥＤ２８ｂの演出内容に関する演出内容情報が含まれているため、トッパー演出装置２８が、その演出内容情報を格納しておく必要がない。つまり、トッパー演出装置２８は、上記演出内容情報のために、新たに格納手段を設けたり、第２の演出情報が格納されたＲＯＭ９４の記録領域の一部を割り当てたりする必要がなく、トッパー演出装置２８の記録領域の効率的利用が図られている。
【００４４】
ただし、必要に応じて、ＬＥＤ２８ｂの演出内容に関する演出内容情報の少なくとも一部をＲＯＭ９４に格納しておき、ＩＮポート９０に第１の演出情報が入力された際に、ＣＰＵ９１がその演出内容情報を抽出してＬＥＤ２８ｂに対して送る態様にすることも可能である。例えば、ＲＯＭ９４にＬＥＤ２８ｂの点灯パターンに関する演出内容情報を格納しておき、演出内容情報として発光タイミングのみを含む第１の演出情報がＩＮポート９０に入力された際に、ＣＰＵ９１がその点灯パターンに関する演出内容情報を抽出してＬＥＤ２８ｂに対して送る態様にすることも可能である。
【００４５】
さらに、上述した実施形態では、トッパー演出装置２８は、主制御基板７１の照明演出駆動回路６１と、発光部２０を介してシリアル接続されている。このようなシリアル接続の採用により、発光部や演出装置の増設が可能となっており、また、接続に必要な配線の削減が図られている。
【００４６】
なお、上述した実施形態では、ＲＯＭ９４に１つの第２の演出情報が格納された態様を示しているが、異なる演出内容情報を含んだ複数の第２の演出情報がＲＯＭ９４に格納された態様に適宜変更してもよい。この場合、トッパー演出装置２８の演出処理におけるステップ３で、ＣＰＵ９１は、複数の第２の演出情報のうちから１つを選出して抽出し、ステップ４では、その選出した第２の演出情報の演出信号をＬＥＤ２８ｂに出力する（図６参照）。このようにＲＯＭ９４に複数の第２の演出情報を格納することで、トッパー演出装置２８は、ＣＰＵ９１による第２の演出情報の選出のやり方次第で多様な演出を実現することができる。
【００４７】
また、ＲＯＭ９４に複数の第２の演出情報が格納された上述の態様では、ＣＰＵ９１は、ステップ３の際、演出変更条件が成立する毎にＲＯＭ９４から選出する第２の演出情報を変更するようにしてもよい。この演出変更条件としては、規定時間の経過や規定時刻の到来、照明演出駆動回路６１からの変更信号の受信の有無、点灯パターンスイッチ９７の信号入力等がある。演出変更条件として、点灯パターンスイッチ９７の信号入力に応じて、選出する第２の演出情報を変更する態様の場合には、点灯パターンスイッチ９７の操作により、任意の第２の演出情報に設定することが可能である。
【００４８】
このように、演出変更条件に応じてＲＯＭ９４から選出する第２の演出情報を変更することで、トッパー演出装置２８は、演出変更条件に応じた様々な演出態様を実現することができる。なお、ＲＯＭ９４から選出する第２の演出情報を必ずしも変更する必要はなく、演出変更条件が成立する毎に、選出する第２の演出情報をランダムに再抽選するだけでも、様々な演出態様を実現することができる。
【００４９】
なお、以上の説明では、演出装置としてトッパー演出装置２８を例に説明を行ったが、トッパー演出装置２８を含む遊技機１全体も本発明における演出装置となりうる。この場合、遊技機１は、図５に示したトッパー演出装置２８のブロック図のシステムと同様若しくは同等のシステムを有し、遊技機１の外部（例えば、別の遊技機やゲームサーバ等）から第１の演出情報を受け付ける。そして、遊技機１は、所定の演出条件に基づいて、第１の演出情報に基づく演出信号、及び、遊技機１の演出情報格納手段（例えば、ＲＯＭ３４）に格納された第２の演出信号に基づく演出信号のいずれか一方を出力し、その信号に応じた演出を演出手段（例えば、発光部２０やスピーカ２３）に行わせる。それにより、遊技機１自体が演出装置である場合にも、トッパー演出装置２８が演出装置である場合と同様に、遊技機１による演出の多様化が図られ、より興趣に富んだ演出が行われる。
【００５０】
本発明は上記実施形態に限定されるものではなく、様々な変形が可能である。例えば、演出手段は、照明演出を行うＬＥＤ２８ｂなどに限らず、音響演出を行う装置や画像演出を行う装置等であってもよい。
【図面の簡単な説明】
【００５１】
【図１】本発明の実施形態における遊技機を示した斜視図である。
【図２】図１に示した遊技機全体の内部構成を示したブロック図である。
【図３】図２に示した発光部の構成を示したブロック図である。
【図４】図２に示した副制御基板の内部構成を示したブロック図である。
【図５】図２に示したトッパー演出装置の内部構成を示したブロック図である。
【図６】本発明に係るトッパー演出装置における演出処理の手順を示したフロー図である。
【符号の説明】
【００５２】
１…遊技機、２０…発光部、２３…スピーカ、２８…トッパー演出装置、２８ｂ…ＬＥＤ、３２…メインＣＰＵ、６１…照明演出駆動回路、９０…ＩＮポート、９１…ＣＰＵ、９２…セレクタ、９３…ＯＵＴポート。
【図１】
2007325877.tif 000003
【図２】
2007325877.tif 000004
【図３】
2007325877.tif 000005
【図４】
2007325877.tif 000006
【図５】
2007325877.tif 000007
【図６】
2007325877.tif 000008